(57)【要約】【課題】パチンコ機の遊技盤に従来から設けられている遊技球誘導用風車について、該風車をさらに変化のある動きをするように構成することで盤面構成が多様化され、パチンコ遊技の面白みが増大されるようにする。【解決手段】支軸４の先端部に回転自在に設けられた羽根車１と、該支軸４を進退動させる電動アクチュエータ５とからなり、遊技盤２に羽根車１が収まり得る透孔３を形成し、支軸４が進退動することにより羽根車１が遊技盤２前面の遊技球落下領域に出没するようにした。【選択図】図２
2010075303.tif 000002
【特許請求の範囲】
【請求項１】
支軸に回転自在に設けられた羽根車と、該支軸を進退動させる電動アクチュエータとからなり、遊技盤に前記羽根車が収まり得る透孔を形成し、前記支軸が進退動することにより羽根車が遊技盤前面の遊技球落下領域に出没するようにしたことを特徴とするパチンコ機の遊技球誘導用風車。
【請求項２】
羽根車は、円板形前面部の裏面を円錐形に形成すると共に、支軸が貫挿される筒状軸承部の外周に複数の羽根を放射状に形成してなるものである請求項１に記載したパチンコ機の遊技球誘導用風車。
【発明の詳細な説明】
【技術分野】
【０００１】
本発明は、パチンコ機の遊技盤に設けられ、遊技球の落下経路に変化が与えられるようにする遊技球誘導用風車の構造に関するものである。
【背景技術】
【０００２】
パチンコ機の風車は、円板部の裏面に羽根を放射状に形成してなる羽根車の中心に釘を貫通し、該釘を遊技盤の前面に垂直に打ち付けることにより、該羽根車を遊技盤前面の遊技球落下領域に回転自在に設け、該羽根車に衝突した遊技球の落下経路に変化が与えられるようにするものである。
【０００３】
ところで、従来の風車は、下記特許文献１、２等に示されたように、遊技盤前面に単に回転自在に設けられ、遊技球が衝突した際の衝撃で自然に回転するといった機能しかなく、変化に乏しいものであった。
【特許文献１】特許第２９８３９６８号公報
【特許文献２】特許第３７１０７０７号公報
【発明の開示】
【発明が解決しようとする課題】
【０００４】
そこで、本発明は、従来の風車がさらに変化のある動きをするように構成し、パチンコ遊技の面白みを増大させようとするものである。
【課題を解決するための手段】
【０００５】
そのために、本発明に係るパチンコ機の遊技球誘導用風車は、支軸に回転自在に設けられた羽根車と、該支軸を進退動させる電動アクチュエータとからなり、遊技盤に前記羽根車が収まり得る透孔を形成し、前記支軸が進退動することにより羽根車が遊技盤前面の遊技球落下領域に出没するようにしたことを特徴とする。
また、本発明は上記遊技球誘導用風車において、羽根車は、円板形前面部の裏面を円錐形に形成すると共に、支軸が貫挿される筒状軸承部の外周に複数の羽根を放射状に形成してなるものであることを特徴とする。
【発明の効果】
【０００６】
羽根車が遊技盤前面の遊技球落下領域に突出しているときは遊技球が該羽根車に衝突する一方、羽根車が遊技盤の透孔に収まっているときは遊技球は該羽根車に衝突することなくその遊技球落下領域を通過し得るので、羽根車の出没状況によって遊技球の流れを大きく変化させることができる。このため、遊技球が落下する遊技盤面の状況変化が多様化され、パチンコ遊技の面白みを増大させることができる。
また、羽根車の円板形前面部の裏面を円錐形に形成することにより、該羽根車が進退動する際に遊技球を咬み込むのを防止することができる。
【発明を実施するための最良の形態】
【０００７】
次に本発明の実施形態を図面に従い説明する。図１は本発明に係る遊技球誘導用風車が設けられた遊技盤の一部の斜視図、図２はその縦断面図である。図において、１は羽根車、２は該羽根車が収まり得る透孔３が形成された遊技盤である。羽根車１は、円板形前面部１ａの裏面１ｂを円錐形に形成すると共に、筒状軸承部１ｅの外周に３枚の羽根１ｃを放射状に形成し、該筒状軸承部１ｅの後端部に前記透孔３の内径に略々合致する円板形後面部１ｄを形成してなる。４は筒状軸承部１ｅに貫挿することにより羽根車１を回転自在に支持している支軸、５は遊技盤２の裏側に取付部材６を設け、該取付部材上に固設した電動アクチュエータたるソレノイドで、支軸４は該ソレノイド５の作動軸７の先端に延設されたものである。なお、８は該作動軸７に設けられたコイルバネである。このため、ソレノイド５が励磁されていないときは、コイルバネ８の弾性により作動軸７および支軸４が前方に進出した状態にあり、該支軸４の先端に設けられた羽根車１は遊技盤２前面の遊技球落下領域に突出している。また、ソレノイド５が通電により励磁されると、コイルバネ８の弾性に抗して作動軸７および支軸４が後退動することから、図３および図４に示したように、羽根車１は遊技盤２の透孔３中に収没する。
【０００８】
このように、ソレノイド５を作動させることで羽根車１が出没することから、羽根車１が突出しているときは遊技盤２前面を落下する遊技球が該羽根車１に衝突して該羽根車１が自由回転し遊技球の落下方向が変化するのに対し、羽根車１が透孔３中に収没しているときは遊技球が衝突することなく遊技球がこの領域を素通りすることから、遊技盤前面の状況を大きく変化させることができる。このため例えば遊技球の入賞確率が変化するように、該遊技盤２前面に入賞口、特別入賞口（図示せず）等を配置することができる。このように、この遊技球誘導用風車を設けることにより、遊技盤の盤面構成を多様化することができ、パチンコ遊技を一層面白いものにすることができる。
【０００９】
なお、この実施形態に示した羽根車１は、円板形前面部１ａの裏面１ｂを円錐形に形成したことから、該羽根車１が進退動する際に該裏面１ｂと透孔３の開口縁との間に挟まれ、いわゆる球咬を起こすおそれを軽減することができる。
【００１０】
また、羽根車１の羽根１ｃの後端部に透孔３の内径に略々合致する円板形後面部１ｄを形成することにより、羽根車１が突出しているときに該透孔３が該円板形後面部１ｄによって塞がれ、遊技盤前面を落下する遊技球が該透孔３に流入するのが防がれる。なお、該円板形後面部１ｄは必ずしも形成しなくても、筒状軸承部１ｅの外周面と透孔３内面との隙間が遊技球の直径以下となるように設定することにより、透孔３に遊技球が流入するのを防ぐことができる。
【００１１】
上記のように羽根車１を出没させる時期については、通常遊技状態にあるときのほか、大当たり発生時、大当たり発生の予告時、大当たり作動時等、適宜設定することが可能である。また、この実施形態では、ソレノイド５によって羽根車１を進退動させるようにしたが、電動モータにより羽根車１を進退動させる構成としてもよいことは勿論である。
【図面の簡単な説明】
【００１２】
【図１】本発明に係るパチンコ機の遊技球誘導用風車を示す遊技盤の斜視図。
【図２】図１の縦断面図。
【図３】図１の作動状態を示した遊技盤の斜視図。
【図４】図３の縦断面図。
【符号の説明】
【００１３】
１      羽根車
１ａ    円板形前面部
１ｂ    裏面
１ｃ    羽根
１ｄ    円板形後面部
１ｅ    筒状軸承部
２      遊技盤
３      透孔
４      支軸
５      電動アクチュエータ（ソレノイド）
６      取付部材
７      作動軸
８      コイルバネ
【図１】
2010075303.tif 000003
【図２】
2010075303.tif 000004
【図３】
2010075303.tif 000005
【図４】
2010075303.tif 000006